(57)【要約】【課題】サイト運営者が自らサイト内に個人学習プラットホームや商品販売プラットホームを開設することができる、ネットマーケティング利益分配方法を提供する。【解決手段】本発明に係るネットマーケティング利益分配方法では、まず、ネットマーケティングプラットホームを設置し、複数のユーザーが、前記ネットマーケティングプラットホームに対して専用の個人運営サイトの構築を申し込むことによってサイト運営者になり、個人学習プラットホームや商品販売プラットホームを開設することができる。【選択図】図１
2007305125.tif 000002
【特許請求の範囲】
【請求項１】
サイト運営者が自らサイト訪問者を管理できるネットマーケティングプラットホームを設置するステップと、
前記ネットマーケティングプラットホームに対して複数のサイト運営者がサービスを申し込むことにより、専用の個人運営サイトを確立し、売りたい商品の情報を前記個人運営サイトに掲載するステップと、
ネットワークに接続したサイト訪問者が前記個人運営サイトにおいて商品の情報を閲覧するステップと、
サイト訪問者が代金を支払い、商品を購入した後、商品情報掲載の伝達経路に沿って、商品の売上金額の利益分配金を関連のサイト運営者に分配するステップと、
を備えていることを特徴とするネットマーケティング利益分配方法。
【請求項２】
前記個人運営サイトにおいて販売される商品はネットワーク学習カリキュラム、パッケージツアーのコース、保険商品及び有体物のいずれか一つであることを特徴とする請求項１に記載のネットマーケティング利益分配方法。
【請求項３】
前記ネットマーケティングプラットホームは、サイト運営者が自ら個人学習プラットホームを開設するための自動フレームセットアップ機能を備えていることを特徴とする請求項１に記載のネットマーケティング利益分配方法。
【請求項４】
前記ネットマーケティングプラットホームは、サイト運営者がサイト訪問者及びサイト訪問者の商品購入後の代金徴収を管理するためのアカウント管理機能を備えていることを特徴とする請求項１に記載のネットマーケティング利益分配方法。
【請求項５】
商品の性質が似ている個人運営サイトが相互にリンクできるように、前記ネットマーケティングプラットホームには、マーケティング力の向上を図るリアルタイムリンク機能が備えられていることを特徴とする請求項１に記載のネットマーケティング利益分配方法。
【請求項６】
前記商品の売上金額の利益分配金を関連のサイト運営者に分配する場合、関連のサイト運営者への分配金額は、サイト運営者が自ら決定することを特徴とする請求項１に記載のネットマーケティング利益分配方法。
【請求項７】
前記ネットマーケティングプラットホームは、情報業者によって設けられ、ネットワークシステムを介して銀行へのネットワーク接続が確立されることにより、商品の売上金額の利益分配金を関連の個人運営サイトの運営者に分配することが、情報業者あるいは銀行のいずれにおいても登録して行うことができることを特徴とする請求項１に記載のネットマーケティング利益分配方法。
【請求項８】
前記ネットマーケティングプラットホームより提供された商品の情報は他のポータルサイトの利用者によって引用されることが可能であることを特徴とする請求項１に記載のネットマーケティング利益分配方法。
【発明の詳細な説明】
【技術分野】
【０００１】
本発明は、ネットマーケティングの技術に関し、より詳しくは、販売される商品または提供されるサービスのタイプが近似する個人運営サイトを相互リンクすることによって、互いの商品またはサービスの注目度を高めると共に、商品またはサービスが売り出された後、商品またはサービスの販売により得られた利益分配金を関連のサイト運営者に分配することが可能なネットマーケティング利益分配方法に関するものである。
【背景技術】
【０００２】
ネットワーク、エレクトロニクス及びコンピュータ技術の進歩により、電子商取引のマーケティング方法が既に従来のビジネス方法に取って代わり、例えば、サイト（或いはサーバー）の確立によって、企業はインターネットを介して商品の宣伝、注文、買い付けなどの商業活動を行うことができるようになった。また、電子化ビジネス方法が従来のビジネス方法における人的資源と紙などの資源の浪費を効果的に解決できる上、なおかつ、より迅速に商業目的を達成することができ、従って、電子化ビジネス方法は、甚大な影響力を有する、現在及び未来における重要な課題である。
【０００３】
企業はサイトを介して必要な商業活動を行うことができるが、しかし、個人または商業活動を電子化によって行う方法に明るくない人々にとって、電子化ビジネス方法がもたらすニッチ（ｎｉｃｈｅ）な需要を見出したり、利便性を感じることは難しい。従って、現在、商品宣伝の目的を達成すべく多くのポータルサイトがホームページにおいて商品に関する情報を掲載しており、さらに、ハイパーリンクのルートを提供することによって、積極的かつ能動的に商品の注目度や注文率を高めている。
【０００４】
しかしながら、ポータルサイトを介して商品やサービスを紹介することによって得られる商品やサービスの宣伝或いはマーケティングの成果は極めて限られている。なぜなら、ポータルサイトのログインユーザーは、そのポータルサイトにより提供された正式な情報のためにログインするのであって、前記ポータルサイトが代理となって宣伝する商業情報のためではない。しかもポータルサイトによって宣伝される商業情報は、通常は管理されないままであり、その種類は多種多様である。従って、ログインユーザーの多くは往々にして前記ポータルサイトが代理となって宣伝する商業情報には興味を抱かないものである。
【発明の開示】
【発明が解決しようとする課題】
【０００５】
上記のように、如何にネットワークの利便性を活かして迅速かつ効果的に商品やサービスの紹介及びマーケティングの目的を達成し、紹介された或いはマーケティングされた商品やサービスの注目度や注文率を上げるかは、まさに現在速やかに解決する必要のある技術問題である。
【０００６】
そこで、上記事情に鑑み、本発明の目的は、ネットマーケティングプラットホームに適用されることでネットワークの利便性を効果的に活かして迅速に商品やサービスの紹介及びマーケティングの目的を達成できるネットマーケティング利益分配方法を提供することである。
【０００７】
本発明の他の目的は、ネットマーケティングプラットホームに適するネットマーケティング利益分配方法を提供することである。詳しくは、前記ネットマーケティングプラットホームにおいて登録し且つ専用の個人運営サイトを確立したサイト運営者が自らサイト訪問者を管理できるとともに、販売された商品やサービスの利益分配金を受け取ることができ、さらに、前記ネットマーケティングプラットホームに設置された個人運営サイトが互いにリアルタイムにリンクすることができ、互いに商品やサービスをセールスし、売上の向上を図る事が出来るものであり、すなわち、効果的に紹介及びマーケティングされた商品やサービスの注目度や注文率を高めることが出来るネットマーケティング利益分配方法を提供することである。
【課題を解決するための手段】
【０００８】
上記の課題を解決するために、本発明では、ネットマーケティング利益分配方法を提供する。このネットマーケティング利益分配方法は、サイト運営者がサイト訪問者を管理出来るように、自動フレームセットアップ機能を備えたネットマーケティングプラットホームを設置するステップと、前記ネットマーケティングプラットホームに対して複数のサイト運営者がサービスの申し込みを行うことにより、専用の個人運営サイトを確立し、売りたい商品（商品はネットワーク学習カリキュラム，パッケージツアーのコース，保険商品など無形のサービス商品または有体物のいずれかであってよい）の情報を前記個人運営サイトに掲載するステップと、インターネットユーザーが訪問できるように前記サイト運営者が自ら運営する個人運営サイトを公開するステップと、前記ネットマーケティングプラットホームには、リアルタイムリンク機能が提供されており、販売される商品やサービスの商品の性質が同じまたは近似の個人運営サイトを相互にリンクさせることができることにより、商品の注目度を高めることができ、さらに、訪問者が支払いをして商品やサービスを購入した後、前記ネットマーケティングプラットホームが商品又はサービスの情報掲載の経路に沿って、商品やサービスの売上料金の利益分配金を関連するサイト運営者に分配するステップと、を備えられている。
【発明の効果】
【０００９】
上記のように、本発明に従ったネットマーケティング利益分配方法では、サイト運営者が個人運営サイトに通常の日記と写真を掲載できるほか、自ら個人学習プラットホームや商品販売プラットホームを開設することも可能であり、さらに、本発明のネットマーケティング利益分配方法が提供する会員アカウント管理とサイトリアルタイムリンクなどの機能によって、前記サイト運営者は直接訪問者を管理し、また直接代金の徴収を行うことができる。また、販売される商品やサービスの性質が類似する個人運営サイトが開設する学習カリキュラムや商品を相互にマーケティングすることによって、マーケティング力を強化し、それによって、得るべき紹介手数料を獲得できる。すなわち、ネットワークの利便性を生かして迅速かつ効果的に商品やサービスの紹介及びマーケティングを行う目的を達成することによって、紹介及びマーケティングされた商品やサービスの注目度や注文率を高め、一方で、従来の個人運営サイトの機能と価値をさらに向上させることができる。
【発明を実施するための最良の形態】
【００１０】
以下は、特定の具体的な実施例に基づいて本発明の実施形態を説明するものであり、この技術分野に精通した者は本発明のその他の利点や効果を明細書に記載の内容から容易に理解することができる。本発明は、その他の異なる実施例によって実施または応用することが可能であり、明細書に記載の内容も、異なる観点や応用に基づき、本発明の精神に背かない範囲で様々な修正や変更が可能であり、そうした修正や変更は本発明の技術範囲に入るものである。
【００１１】
実施例
図１は、本発明に係るネットマーケティング利益分配方法においてネットマーケティングプラットホームを設置することから商品の取り引きを完了し売上料金の利益分配金の分配を行うまでを示すフローチャートである。チャートに示すように、本発明に係るネットマーケティング利益分配方法では、まずステップＳ１を実行して、ネットマーケティングプラットホームを設置する。前記ネットマーケティングプラットホームは、ネットマーケティングプラットホームに個人運営サイトを設置した複数のサイト運営者が商品を販売したあとの利益分配金を直接徴収できるように、情報業者によって提供されている。さらに、設置されたネットマーケティングプラットホームは、自動フレームセットアップ、アカウント管理およびサイトリアルタイムリンクなどの機能を備えている。続いて、ステップＳ２に進む。
【００１２】
ステップＳ２では、複数のユーザーが前記情報業者に対して申し込むことにより、前記ネットマーケティングプラットホームに専用の個人運営サイトを設置し、サイト運営となり、前記情報業者は申し込み者に対して会費（スペース費用）と手数料などの基本料金を請求してもよい。さらに、前記運営者はネットマーケティングプラットホームが提供する自動フレームセットアップ機能を介して自ら個人学習プラットホームを開設することもできる。続いて、ステップＳ３に進む。
【００１３】
ステップＳ３では、サイト運営者は専用の個人運営サイトにおいて商品を販売し、関連商品情報を新たに増やすことができ、さらに、ネットマーケティングプラットホームが提供するアカウント管理機能を用いて直接訪問者の管理あるいは代金の徴収を行うことができる。また、ネットマーケティングプラットホームが提供するリアルタイムリンク機能により、販売される商品やサービスの商品の性質が相似する個人運営サイトが互いにリンクすることができ、商品の有無を相互に明かにすることによって商品の注目度を高め、商品の販売量を増やすことができる。続いて、ステップＳ４に進む。
【００１４】
ステップＳ４では、訪問者は個人運営サイトにおいてサイト運営者により編集されたコンテンツを閲覧できる外、必要とするカリキュラムや商品を直接購入することもできる。続いて、ステップＳ５に進む。
【００１５】
ステップＳ５では、訪問者が取引を完了したあと、ネットマーケティングプラットホームが、商品やサービスが掲載されたルート及び商品やサービスの提供元（例えば、ローカルまたはリモートの個人運営サイトのサイト運営者と、ローカルまたはリモートの個人運営サイトのサイト会員を含む）によって設定されたサイマル放送の利益分配比率に応じて、得られた利益分配金を関連のサイト運営者へ分配する。
【００１６】
図２は、本発明に係るネットマーケティング利益分配方法が実際に商品の販売及び利益分配金の分配を行う場合の実施形態を模式的に示したブロック図である。図に示すように、個人運営サイトのマーケティング利益分配を申請しようとする者は、まずネットマーケティングプラットホーム１においてサイト運営者として申請する。図に示した個人運営サイト２及び個人運営サイト３のように、例えば、個人運営サイト２のサイト運営者が個人運営サイト２においてカリキュラム２１を新たに増やし、前記カリキュラム２１の販売価格及びサイマル放送の利益分配金などのデータを入力し（図３に示すホームページ模式図を参照）、マーケティングしたい物（すなわち、カリキュラム２１）の基本データの設定作業を完了したあと、前記マーケティングしたい物の情報を公開することができる。
【００１７】
カリキュラム２１は公開されたあと、もし個人運営サイト３のサイト運営者が個人運営サイト２のサイト運営者によって開設されたカリキュラム２１に対して興味を持ち且つ個人運営サイト２のサイト運営者に代わってカリキュラム２１のマーケティングを行う意志がある場合、サイマル放送に加える手順に基いてカリキュラム２１を自分の個人運営サイト３に新たに追加することができる（図２に示したように、個人運営サイト３もカリキュラム２１’を新たに追加する）。
【００１８】
その後、訪問者が個人運営サイト３のコンテンツを閲覧してカリキュラム２１’のコンテンツが気に入り、個人運営サイト３においてカリキュラム２１’を購入し（ルートＡ）、決済手続きを完了した場合、個人運営サイト３のサイト運営者は個人運営サイト２のサイト運営者によって指定されたカリキュラム２１のサイマル放送の利益分配金（すなわち、個人運営サイト３の運営者の紹介手数料）を得ることができ、個人運営サイト２のサイト運営者はカリキュラム２１の料金からサイマル放送の利益分配金を差し引いたあとに残る金額を得ることができる。逆に、もし訪問者が直接個人運営サイト２においてカリキュラム２１を購入（ルートＢ）した場合、個人運営サイト２の運営者はカリキュラム２１の料金の全額を得ることができ、サイマル放送の利益分配金を支払う必要はない。
【００１９】
例えばブログ、グループ、コミュニティ、フォーラムなどの個人運営サイトは、今日すでに新興メディアへと成長している。ブログサイトを例に挙げると、アーカイブ、パーマネントリンク、タイムスタンプ及び日付ヘッダーの四大特徴を備えているため、既に単純にブログサイト運営者に日記を書く機能を提供するだけでなく、視覚的に豊かな多様性を呈している。今日では、ブログサイトのような個人運営サイトが急増し、多くのポータルサイト、インターネットサービスプロバイダ（ＩＳＰ）も相次いで個人運営サイトの申請、メンテナンス、管理などの関連サービスの提供を始めている。そのため、本発明に係るネットマーケティング利益分配方法は、個人運営サイトを介して迅速かつ効果的に商品やサービスの紹介及びマーケティングを行う目的を達成することによって、紹介及びマーケティングされた商品やサービスの注目度や注文率を高めるものであり、一方で、従来の個人運営サイトの機能と価値をより一層向上させることができる。
【００２０】
また、本発明に係るネットマーケティング利益分配方法は個人運営サイトが備える特質を応用するだけでなく、さらに、サイト運営者が自らが運営する個人運営サイトにおいて個人学習プラットホームや商品販売プラットホームを開設し、販売される商品やサービスの性質が類似する他の個人運営サイトにリンクして互いにマーケティングを行うことで販売料金を得る等の機能を用いることにより、例えば既存のブログサイトといった個人運営サイトが情報収集やライフスタイルの共有に止まる点を効果的に改善することができ、単なるサイト運営者（作者）の信念と価値観の代表としてのメディアというだけではなくなる。そのため、本発明に係るネットマーケティング利益分配方法は確実に既存の個人運営サイトの機能と価値を高めることができる。
【００２１】
上記のように、これらの実施の形態は本発明を例示する目的で示すものであり、本発明は、これらによって何ら限定されるものではない。例えば、販売される商品はカリキュラムだけに限らず、パッケージツアーのコースや保険商品等の無形のサービス商品または有体物のいずれかであってもよい。また、前記ネットマーケティングプラットホームがネットワークシステム（例えばインターネット）を介して銀行とネットワーク接続が確立されることにより、商品の売上額の利益分配金を関連するサイトの運営者に分配することが、情報業者あるいは銀行のいずれにおいても登録して行うことができる。さらに、商品の情報は他のポータルサイトの利用者によって引用されることも可能である。また、商品の売上金額の利益分配金の決定に関しては、個人運営サイトのサイト運営者、商品提供者または商品製造者などによって自ら決定することができ、実施形態によって異なる利益分配金決定方法がある。本発明に係る実質的な技術内容は、特許請求の範囲に定義される。本発明はこの技術分野に精通したものが特許請求の範囲を脱しない範囲で色々な修正や変更が可能であり、そうした修正や変更は本発明の請求範囲に入るものである。
【図面の簡単な説明】
【００２２】
【図１】本発明に係るネットマーケティング利益分配方法においてネットマーケティングプラットホームを設置することから商品の取引を完了し売上料金の利益分配金の分配を行うまでを示すフローチャートである。
【図２】本発明に係るネットマーケティング利益分配方法によって実際に商品の販売及び利益分配金の分配を行う場合の実施形態を模式的に示したブロック図である。
【図３】カリキュラムを編集中のサイト画像を示した図である。
【符号の説明】
【００２３】
１  ネットマーケティングプラットホーム
２，３  個人運営サイト
２１，２１’  カリキュラム
４  利用者
Ａ，Ｂ  ルート
Ｓ１〜Ｓ５  ステップ
【図１】
2007305125.tif 000003
【図２】
2007305125.tif 000004
【図３】
2007305125.tif 000005